(57)【特許請求の範囲】
【請求項１】
複数の画像情報を順次切り替えて出力する画像出力装置であって、
順次切り替えられる複数の画像情報の切り替えが、異なる静止画像の画像切り替えかを判定する判定手段と、
前記判定手段により異なる静止画像の切り替えと判定された場合に、所定の画像切替処理を行う切替制御手段と、
を備えることを特徴とする画像出力装置。
【請求項２】
前記判定手段は、異なる静止画像の画像切り替えか、あるいは動画像の変化による画像切り替えかを判定する、ことを特徴とする請求項１に記載の画像出力装置。
【請求項３】
前記画像切替処理は、切替前の静止画像から切替後の静止画像へと順次切り替わる切替エフェクトを施して画像を切り替える処理である、ことを特徴とする請求項１または２に記載の画像出力装置。
【請求項４】
前記判定手段は、前記複数の画像情報が、所定時間内で連続的あるいは段階的に変化するか否かと段階的な変化の回数とに基づいて、静止画像の画像切替か否かを判定すること、
を特徴とする請求項１〜３の何れかに記載の画像出力装置。
【請求項５】
複数の画像情報を順次切り替えて出力する画像出力装置であって、
順次切り替えられる複数の画像情報の切り替えが、動画像の変化による画像切り替えかを判定する判定手段と、
前記判定手段により前記動画像の切り替えではないと判定された場合には、切替前の画像から切替後の画像へと順次切り替わる切替エフェクトを施して画像を切り替えて出力する切替出力手段と、
を備えることを特徴とする画像出力装置。
【請求項６】
前記判定手段は、前記複数の画像情報が、所定時間内で連続的あるいは段階的に変化するか否かと段階的な変化の回数とに基づいて、静止画像の画像切替か否かを判定すること、
を特徴とする請求項５に記載の画像出力装置。
【請求項７】
複数の画像情報を順次切り替えて出力する画像出力装置のコンピュータを制御するためのプログラムであって、
前記コンピュータを、
順次切り替えられる複数の画像情報の切り替えが、異なる静止画像の画像切り替えかを判定する判定手段、
前記判定手段により異なる静止画像の切り替えと判定された場合に、所定の画像切替処理を行う切替制御手段、
として機能させるようにしたコンピュータ読み取り可能なプログラム。
【請求項８】
複数の画像情報を順次切り替えて出力する画像出力装置のコンピュータを制御するためのプログラムであって、
前記コンピュータを、
順次切り替えられる複数の画像情報の切り替えが、動画像の変化による画像切り替えかを判定する判定手段、
前記判定手段により前記動画像の切り替えではないと判定された場合には、切替前の画像から切替後の画像へと順次切り替わる切替エフェクトを施して画像を切り替えて出力する切替出力手段、
として機能させるようにしたコンピュータ読み取り可能なプログラム。
【発明の詳細な説明】
【技術分野】
【０００１】
本発明は、複数の画像情報を順次切り替えて出力する画像出力装置に関する。
【背景技術】
【０００２】
従来より、画像をスクリーンに投影して略相似な画像を表示させることができるプロジェクタや映写機などの投影装置が知られている。
この投影装置としては、例えば、パーソナルコンピュータ等の外部機器と接続され、当該外部機器から出力され入力された時系列に連続する複数の画像データに基づいて、所定の画像をスクリーンに投影するように構成されたものがある（例えば、特許文献１参照）。
【先行技術文献】
【特許文献】
【０００３】
【特許文献１】特開２００５−７０４１５号公報
【発明の概要】
【発明が解決しようとする課題】
【０００４】
ところで、上記特許文献１等の場合、投影装置は、外部機器から送られてくる画像データが異なるものに変更され（切り替えられ）ても、当該画像データが変更されたこと、即ち、投影画像が切り替えられたことを認識することができないといった問題がある。
このため、投影画像の切替の際に、特殊効果を施して画像の切替方法を工夫しようとすると、予め投影される画像の画像データに特殊効果を施したものを作成しておく必要があるが、この作業はユーザにとって煩雑である。また、投影装置によっては投影装置自体に特殊効果を付ける機能を有するものがあるが、特殊効果を付して投影可能な画像データのファイル形式が定まっており、所定のファイル形式の画像データに対してしか特殊効果を施すことができず、汎用性が低いといった問題もある。
【０００５】
本発明の課題は、順次切り替えられる画像情報の内容に応じてその画像切替時に所定の画像切替処理を行うか否かを制御できるようにすることにある。
【課題を解決するための手段】
【０００６】
請求項1記載の発明は、複数の画像情報を順次切り替えて出力する画像出力装置であって、順次切り替えられる複数の画像情報の切り替えが、異なる静止画像の画像切り替えかを判定する判定手段と、前記判定手段により異なる静止画像の切り替えと判定された場合に、所定の画像切替処理を行う切替制御手段と、を備えることを特徴とする。
【００１３】
請求項５記載の発明は、複数の画像情報を順次切り替えて出力する画像出力装置であって、順次切り替えられる複数の画像情報の切り替えが、動画像の変化による画像切り替えかを判定する判定手段と、前記判定手段により前記動画像の切り替えではないと判定された場合には、切替前の画像から切替後の画像へと順次切り替わる切替エフェクトを施して画像を切り替えて出力する切替出力手段と、を備えることを特徴とする。
【発明の効果】
【００１９】
本発明によれば、順次切り替えられる画像情報の内容に応じてその画像切替時に所定の画像切替処理を行うか否かを制御できる。
【図面の簡単な説明】
【００２０】
【図１】本発明を適用した実施形態１の投影システムの概略構成を模式的に示した図である。
【図２】図１の投影システムを構成する外部機器の要部構成を模式的に示した図である。
【図３】図１の投影システムを構成する投影装置の外観構成を示す斜視図である。
【図４】図３の投影装置の要部構成を模式的に示した図である。
【図５】図３の投影装置による切替エフェクトの一例を模式的に示した図である。
【図６】図３の投影装置による切替エフェクトの一例を模式的に示した図である。
【図７】図３の投影装置による切替エフェクトの一例を模式的に示した図である。
【図８】図１の投影システムによる画像投影処理に係る動作の一例を示すフローチャートである。
【図９】本発明を適用した実施形態２の投影システムによる画像投影処理に係る動作の一例を説明するためのタイミングチャートである。
【発明を実施するための形態】
【００２１】
以下に、本発明について、図面を用いて具体的な態様を説明する。ただし、発明の範囲は、図示例に限定されない。
【００２２】
［実施形態１］
実施形態１の投影システムは、外部機器から出力されて投影装置２に入力される複数の画像データに基づいて所定の画像を投影装置から投影する画像投影処理を行うものであり、この処理にて、複数の画像データのうち、時系列に連続する２つの画像データに変化があった場合に、画像が切り替わったと判定して、これらの画像データに係る画像に対して所定の切替エフェクトを施して当該画像を切り替えるものである。
【００２３】
図１は、本発明を適用した実施形態１の投影システム１００の概略構成を模式的に示した図である。
図１に示すように、投影システム１００は、例えば、複数の画像データを記憶する外部機器１と、複数の画像データに基づいて所定の画像を投影する投影装置２とが所定の接続ケーブル３を介して接続されている。
【００２４】
先ず、外部機器１について、図２を参照して説明する。
図２は、外部機器１の要部構成を模式的に示した図である。
外部機器１は、例えば、パーソナルコンピュータ、ＰＤＡ、デジタルカメラ等から構成され、具体的には、図２に示すように、ＣＰＵ１０１と、ＲＡＭ１０２と、記憶部１０３と、操作入力部１０４と、表示部１０５と、データ入出力部１０６等を備えている。
【００２５】
ＣＰＵ（Central Processing Unit）１０１は、外部機器１の各部を統括的に制御するものであり、記憶部１０３に記憶されている外部機器１としての機能に関る各種プログラムを読み出してＲＡＭ１０２の作業領域に展開し、当該プログラムに従って各種処理を実行するようになっている。
具体的には、ＣＰＵ１０１は、例えば、ユーザによる操作入力部１０４の所定操作に基づいて、投影装置２から投影される投影画像の画像データを記憶部１０３から読み出して、当該画像データをＲＧＢ画像データとしてデータ入出力部１０６から投影装置２に出力させるようになっている。
【００２６】
ＲＡＭ（Random Access Memory）１０２は、例えば、書き換え可能なメモリであり、ＣＰＵ１０１の制御下にて記憶部１０３から読み出されたプログラムや各種データ等の格納領域や作業領域等を構成している。
【００２７】
記憶部１０３は、例えば、ハードディスク等から構成されており、ＣＰＵ１０１の制御下にて実行される各種プログラム、各プログラムの処理に係るデータ等を記憶している。
また、記憶部１０３は、例えば、静止画像や動画像等に係る複数の画像データを記憶している。
【００２８】
操作入力部１０４は、例えば、マウスや各種の操作キーによって構成されるキーボード（図示略）を備え、当該マウスやキーボードのユーザによる操作に基づいて操作信号をＣＰＵ１０１に出力する。
【００２９】
表示部１０５は、例えば、ＬＣＤ（Liquid Crystal Display）やＣＲＴ（Cathode Ray Tube）等により構成されており、ＣＰＵ１０１から出力された所定の表示制御信号に従って各種の画面表示を行うようになっている。
【００３０】
データ入出力部１０６は、例えば、ＣＰＵ１０１の制御下にて、所定の画像データや音声データを投影装置２に出力するものである。具体的には、データ入出力部１０６は、例えば、画像データや音声データ等の入出力を行うためのＵＳＢ端子、映像入力用のミニＤ−ＳＵＢ端子、Ｓ端子及びＲＣＡ端子や、音声入力用のステレオミニ端子等を備えて構成されている。
【００３１】
次に、投影装置２について、図３〜図８を参照して説明する。
図３（ａ）は、投影装置２を上面側から見て示した外観構成を示す斜視図であり、図３（ｂ）は、投影装置２を底面側から見て示した外観構成を示す斜視図である。
【００３２】
投影装置２は、例えば、プロジェクタ等から構成され、図３（ａ）に示すように、直方体状の本体ケーシング１１の前面に投影レンズ１２、二組の測距レンズ１３ａ、１３ｂと１３ｃ、１３ｄ及びＩｒ受信部１４等が配設されている。
【００３３】
投影レンズ１２は、例えば、マイクロミラー素子等の空間的光変調素子３６（後述）で形成された光像を投射するためのものである。また、投影レンズ１２は、例えば、合焦位置及びズーム位置（投射画角）を任意に変更することができるようになっている。
【００３４】
測距レンズ１３ａ、１３ｂ、１３ｃ、１３ｄは、例えば、それぞれ後述する位相差センサ１３１、１３２の一部を構成するものであり、被写体像に対するこれら両レンズでの視差から三角測距の原理に基づいて被写体までの距離、具体的にはスクリーンＳまでの距離を測定するものである。
具体的には、縦に配置された一組の測距レンズ１３ａ、１３ｂで縦方向の被写体までの距離を測定し、横方向に配置されたもう一組の測距レンズ１３ｃ、１３ｄで横方向の被写体までの距離を測定するようになっている。
【００３５】
Ｉｒ受信部１４は、例えば、リモートコントローラから送信されるキー操作信号が重畳された赤外光を受信するものである。
【００３６】
また、本体ケーシング１１の上面には、例えば、本体メインキー／インジケータ１５、スピーカ１６及びカバー１７等が配設されている。
【００３７】
本体メインキー／インジケータ１５は、例えば、電源キー、数字キー、文字キー及び各種機能キーなどによって構成され、電源ＯＮ／ＯＦＦ、キーストン補正開始指示、入力切替指示など、投影装置２に対する操作指示を受け付けるものである。
【００３８】
スピーカ１６は、例えば、動画再生時等の音声を拡声出力するものである。
カバー１７は、例えば、本体サブキー（図示略）を操作する際に開閉するものである。なお、本体サブキーは、例えば、投影装置２のリモートコントローラ（図示略）を使用せずに、上記本体メインキー／インジケータ１５のキーのみでは設定指示できない、例えば水平／垂直位置・輝度・色彩調整などの画面調整といった各種動作を操作するものである。
【００３９】
さらに、本体ケーシング１１の背面には、例えば、図３（ｂ）に示すように、入出力コネクタ部１８、Ｉｒ受信部１９及びＡＣアダプタ接続部２０等が配設されている。
【００４０】
入出力コネクタ部１８は、例えば、接続ケーブル３を介して外部機器１との間で画像や音声データの入出力を行うためのＵＳＢ端子、映像入力用のミニＤ−ＳＵＢ端子、Ｓ端子及びＲＣＡ端子と、音声入力用のステレオミニ端子等から構成される。
【００４１】
Ｉｒ受信部１９は、例えば、Ｉｒ受信部１４と略同様に、リモートコントローラから送信されるキー操作信号が重畳された赤外光を受信するものである。
ＡＣアダプタ接続部２０は、例えば、電源となるＡＣアダプタ（図示略）からのケーブルを接続するものである。
【００４２】
加えて、本体ケーシング１１の下面には、例えば、背面側に一対の固定脚部２１、２１が取り付けられると共に、前面側に高さ調節が可能な調整脚部２２が取り付けられるようになっている。
調整脚部２２は、例えば、ねじ回転位置を手動で操作することにより、正確には投影レンズ１２の投射方向の鉛直方向成分、すなわち仰角を調整するものである。
【００４３】
次に、投影装置２の電子回路の機能構成について、図４を参照して説明する。
図４は、投影装置２の要部構成を模式的に示した図である。
図４に示すように、投影装置２は、外部機器１から出力され入出力コネクタ部１８を介して入力された各種規格の画像データが、入出力Ｉ／Ｆ３１、システムバスＳＢを介して画像変換部３２で所定のフォーマットの画像データに統一された後に、画像記憶部４０に送られる。
【００４４】
画像記憶部４０は、例えば、フラッシュメモリ等から構成され、画像変換部３２から順次送られてくる所定量の画像データを一時的に記憶するものである。即ち、画像記憶部４０は、画像保存手段として、外部機器１から出力されて入力された時系列に連続する少なくとも２つの画像データを保存するようになっている。
そして、画像記憶部４０に記憶されている画像データが、制御部３９の制御下にて、所定のタイミングで時系列に従って順次読み出されて、表示エンコーダ３３に対して送られるようになっている。
なお、画像記憶部４０から読み出された画像データは、当該画像記憶部４０からは消去され、これにより、外部機器１から順次送られてくる画像データの一時的な記憶領域を確保することができるようになっている。
【００４５】
また、画像記憶部４０は、画像投影処理において制御部３９による画像切替判定処理の実行により画像が切り替えられたと判定された場合には、一時的に記憶されている複数の画像データのうち、制御部３９により取得された切替前後の画像データを別に保存するようになっている。
【００４６】
なお、画像記憶部４０は、制御部３９で実行される各種動作プログラムの実行時に一時的にデータを格納する構成であってもよい。
【００４７】
制御部３９は、各回路のすべての動作制御を司るものであり、例えば、ＣＰＵ（Central Processing Unit）と、ＣＰＵで実行される動作プログラムを固定的に記憶したＲＯＭ（Read Only Memory）と、ワークメモリとして使用されるＲＡＭ（Random Access Memory）等により構成されている。
【００４８】
ＲＯＭには、例えば、画像切替判定プログラム、画像情報取得プログラム、画像切替プログラム等（何れも図示略）が記憶されている。
【００４９】
画像切替判定プログラムは、ＣＰＵを画像切替判定手段として機能させるものである。即ち、画像切替判定プログラムは、画像記憶部４０に一時的に記憶（保存）されている複数の画像データの相違を判断して、その相違量に基づいて、画像が切り替えられたか否かを判定する画像切替判定処理に係る機能をＣＰＵに実現させるためのプログラムである。具体的には、例えば、画像切替判定プログラムは、ＣＰＵによって、画像記憶部４０に記憶された複数の画像データのうち、連続する２つの画像データの相違量に基づいて、画像が切り替えられたか否かを判定するためのものである。
より具体的には、例えば、ＣＰＵによる画像切替判定プログラムの実行に基づいて、複数の画像データのうち、所定タイミングにおける２つの連続する画像データを比較して、当該画像データの変化量が所定割合（例えば、５％）以上であるか否かに応じて、画像が切り替えられたか否かを判定するようになっている。
【００５０】
画像情報取得プログラムは、ＣＰＵを画像取得手段として機能させるものである。即ち、画像情報取得プログラムは、画像切替判定処理にて画像が切り替えられたと判定された場合に、画像記憶部４０に一時的に記憶されている複数の画像データの中から切替前後の画像データをそれぞれ取得する画像情報取得処理に係る機能をＣＰＵに実現させるためのプログラムである。
【００５１】
画像切替プログラムは、ＣＰＵを画像切替手段として機能させるものである。即ち、画像切替プログラムは、画像情報取得処理により取得された切替前後の画像データに基づいて、スクリーンＳに対して投影される画像を切替前の画像ＧＢ（図５（ａ）等参照）から切替後の画像ＧＡ（図５（ａ）等参照）へと所定の切替エフェクトを施して切り替える画像切替処理に係る機能をＣＰＵに実現させるためのプログラムである。具体的には、例えば、画像切替プログラムは、ＣＰＵによって、画像情報取得処理により取得され画像記憶部４０に記憶された切替前後の画像データの変化量に基づいて切替エフェクトを変更して、当該切替エフェクトを切替前後の画像データに施して画像を切り替えるようになっている。
【００５２】
ここで、切替エフェクトについて、図５〜図７を参照して説明する。
図５（ａ）、図５（ｂ）、図６（ａ）、図６（ｂ）、図７（ａ）、図７（ｂ）は、切替エフェクトの一例を模式的に示した図である。
具体的には、例えば、図５（ａ）に示すように、切替後の画像ＧＡを半分にして、これら半分の画像が切替前の画像ＧＢにその左右の縁部から重畳するようにスライドしてきて、略中央で合体することで画像を切り替える切替エフェクトが挙げられる。
また、例えば、図５（ｂ）に示すように、切替後の画像ＧＡを複数の領域に分割して、これら分割画像が切替前の画像ＧＢにその縁部から重畳するように略中央に集まってきて、略中央で合体することで画像を切り替える切替エフェクトが挙げられる。
また、例えば、図６（ａ）に示すように、切替後の画像ＧＡよりも大きな穴を切替前の画像ＧＢに重畳して設け、この穴が次第に小さくなっていくことで、切替後の画像ＧＡが切替前の画像ＧＢにその縁部から重畳されてきて、略中央部で穴が消滅することで画像を切り替える切替エフェクトが挙げられる。
また、例えば、図６（ｂ）に示すように、切替後の画像ＧＡをランダムに細分化しておき、これら細分化された画像が切替前の画像ＧＢにだんだんと重畳されてくることで画像を切り替える切替エフェクトが挙げられる。
また、例えば、図７（ａ）に示すように、切替後の画像ＧＡに切替前の画像ＧＢを重畳して設け、本のページがめくられるように切替前の画像ＧＢから切替後の画像ＧＡに切り替える切替エフェクトが挙げられる。
また、例えば、図７（ｂ）に示すように、切替後の画像ＧＡが切替前の画像ＧＢに横から重畳するように、即ち、紙芝居のように横からスライドしてくることで画像を切り替える切替エフェクトが挙げられる。
【００５３】
さらに、切替エフェクトは、例えば、切替前後の画像データの変化量が大きい程、より過激となるように変更されるのが好ましい。即ち、具体的には、切替前後の画像データの変化量が大きくなるにつれて、例えば、図７（ｂ）の切替エフェクト→図５（ａ）の切替エフェクト→図７（ａ）の切替エフェクト→図６（ａ）の切替エフェクト→図５（ｂ）の切替エフェクト→図６（ｂ）の切替エフェクトの順に選択されるのが好ましい。
これにより、画像の切替エフェクトを興趣性の高いものとすることができ、投影画像の視聴者の注意を好適に惹くことができ、より魅力的な投影システム１００を提供することができる。
【００５４】
また、制御部３９は、例えば、画像切替処理を実行する場合には、切替エフェクトに応じて画像の切り替えにかかる画像切替時間を算出して、画像記憶部４０に記憶された複数の画像データの中から画像切替時間の分だけ画像データをとばして所定の画像データを読み出し、当該画像データを表示エンコーダ３３に対して送るようになっている。
これにより、画像の切替後には、画像切替時間の分だけとばして読み出された画像データに基づいて所定の画像の投影が行われることとなる。
従って、画像切替処理を行う毎に、外部機器１から入力される画像データと投影される画像に係る画像データとにずれが生じるのを防止することができ、画像データの記憶容量の大きな画像記憶部４０を搭載する必要がなくなって、投影装置２のコストをより低減することができる。
【００５５】
表示エンコーダ３３は、例えば、画像記憶部４０から読み出されて入力された画像データをビデオＲＡＭ３４に展開記憶させた上で、このビデオＲＡＭ３４の記憶内容からビデオ信号を発生して表示駆動部３５に出力するものである。
【００５６】
表示駆動部３５は、送られてきた画像データに対応して適宜フレームレート、例えば３０［フレーム／秒］で空間的光変調素子（ＳＯＭ）３６を表示駆動するものである。そして、空間的光変調素子３６に対して、例えば超高圧水銀灯等の光源ランプ３７が出射する高輝度の白色光が照射されることで、その反射光で光像が形成され、上記投影レンズ１２を介してスクリーンＳに投射表示されるようになっている。
このように、表示駆動部３５、空間的光変調素子３６、光源ランプ３７及び投影レンズ１２は、画像記憶部４０に記憶される複数の画像データに基づいて、当該画像データに応じた画像をスクリーンＳに投影する投影手段を構成している。
【００５７】
投影レンズ１２は、例えば、レンズモータ３８により駆動されることでズーム位置及びフォーカス位置を適宜変更することができるようになっている。
【００５８】
音声処理部４１は、例えば、ＰＣＭ（Pulse Code Modulation）音源などの音源回路を備え、投射表示動作時に与えられる音声データをアナログ化し、上記スピーカ１６を駆動して拡声放音させるものである。
加速度センサ４２は、例えば、投影装置２が設置されている状態から移動された場合に、その振動を検知して制御部３９に対して出力するものである。
【００５９】
測距処理部４３は、例えば、測距レンズ１３ａ、１３ｂを有する位相差センサ１３１及び測距レンズ１３ｃ、１３ｄを有する位相差センサ１３２をそれぞれ駆動して、スクリーンＳ上に投射表示された所定画像までの距離を外光三角方式と呼ばれる測距の原理に従って測定するものである。
位相差センサ１３１は、画面中央から垂直方向における複数の測距点との距離を測定するセンサである。また、位相差センサ１３２は、画面中央から水平方向における複数の測距点との距離を測定するセンサである。
【００６０】
キー／インジケータ部４５は、上記本体メインキー／インジケータ１５とカバー１７内に備えられる本体サブキー等により構成され、ユーザによる所定操作に基づいて出力されたキー操作信号が直接制御部３９に入力されるようになっている。
なお、Ｉｒ受信部１４及びＩｒ受信部１９にて受信された赤外光受信信号も、直接制御部３９に入力されるようになっている。
【００６１】
次に、投影システム１００による画像投影処理について図８を参照して説明する。
図８は、画像投影処理に係る動作の一例を示すフローチャートである。
【００６２】
図８に示すように、画像投影処理にあっては、先ず、ユーザによる外部機器１の操作入力部１０４の所定操作に基づいて、ＣＰＵ１０１の制御下にて、記憶部１０３から読み出されデータ入出力部１０６を介して順次出力された画像データが投影装置２に入力されると（ステップＳ１）、投影装置２のＣＰＵは、時系列に連続する所定量の画像データを順次、画像記憶部４０に一時的に保存させる（ステップＳ２）。
そして、画像記憶部４０に所定量の画像データが記憶されると、ＣＰＵの制御下にて、画像記憶部４０に記憶されている画像データの中で古い画像データに応じた画像から投影が開始され（ステップＳ３）、続けて、ＣＰＵは、ＲＯＭから画像切替判定プログラムを読み出してＲＡＭに展開し、この画像切替判定プログラムの実行に基づいて、画像切替判定処理を行う（ステップＳ４）。
【００６３】
画像切替判定処理にあっては、ＣＰＵは、時系列に連続する複数の画像データのうち、所定タイミングにて連続する２つの画像データを比較して、当該画像データの変化量が所定割合以上であるか否かに応じて、画像（スライド）が切り替えられたか否かを判定するようになっている。
この画像切替判定処理にて、画像が切り替えられたと判定されると（ステップＳ５；ＹＥＳ）、ＣＰＵは、ＲＯＭから画像情報取得プログラムを読み出してＲＡＭに展開し、この画像情報取得プログラムの実行に基づいて、画像記憶部４０から切替前後の画像データを静止画像としてそれぞれ取得して、一連の複数の画像データとは別に保存する（ステップＳ６）。
【００６４】
続けて、ＣＰＵは、表示駆動部３５等を制御して、投影中の画像を切替前の画像ＧＢを投影した状態で一時停止させた後（ステップＳ７）、ＲＯＭから画像切替プログラムを読み出してＲＡＭに展開し、この画像切替プログラムの実行に基づいて、画像切替処理を行う。具体的には、ＣＰＵは、切替前後の画像データに基づいて、切替前の画像ＧＢから切替後の画像ＧＡへと所定の切替エフェクトを施して切り替える処理を行う（ステップＳ８）。
次に、ＣＰＵは、切替エフェクトに応じた画像切替時間を算出した後、画像記憶部４０に記憶された連続する複数の画像データの中から画像切替時間の分だけ画像データをとばして所定の画像データを読み出し、切替後の画像の投影後（画像の切替後）に、当該画像データに基づいて所定の画像の投影を再開させる（ステップＳ９）。
【００６５】
そして、画像記憶部４０に次の投影に係る画像データが記憶されている場合には（ステップＳ１０；ＹＥＳ）、ＣＰＵは、ステップＳ４に移行して、それ以降の処理を実行制御する。一方、画像記憶部４０に次の投影に係る画像データが記憶されていない場合には（ステップＳ１０；ＮＯ）、ＣＰＵは、画像投影処理を終了させる。
【００６６】
以上のように、実施形態１の投影システム１００によれば、外部機器１から出力されて投影装置２に入力された時系列に連続する複数の画像データのうち、連続する２つの画像データの変化量に基づいて、画像が切り替えられたか否かを判定することができる。具体的には、投影装置２に入力されて画像記憶部４０に一時的に記憶された複数の画像データのうち、連続する２つの画像データを比較して、当該画像データの変化量が所定割合以上であるか否かに応じて、画像が切り替えられたか否かを判定することができる。
従って、投影装置２に入力される画像データのファイル形式を問わず、且つ、当該画像データに対して事前に所定の処理を施すことなく、画像の切り替えを適正に認識することができ、切替前後の画像データに基づいて、所定の切替エフェクトを施して切替前の画像ＧＢから切替後の画像ＧＡへと切り替えて投影することができる。
【００６７】
また、切替前後の画像データの変化量が大きい程、より過激となるように切替エフェクトを変更することができるので、当該切替エフェクトを興趣性の高いものとすることができ、投影画像の視聴者の注意を好適に惹くことができ、より魅力的な投影システム１００を提供することができる。
さらに、画像切替処理による画像の切替後に、画像記憶部４０に記憶された複数の画像データの中で、画像切替時間の分だけ画像データをとばして画像の投影を行うことができるので、画像切替処理を行う毎に、外部機器１から入力される画像データと投影される画像に係る画像データとにずれが生じるのを防止することができ、画像データの記憶容量の大きな画像記憶部４０を搭載する必要がなくなって、投影装置２のコストをより低減することができる。
【００６８】
なお、上記実施形態１に係る投影装置２は、画像切替判定処理のＯＮ／ＯＦＦを切替自在に構成されても良い。即ち、投影装置２から動画像を投影する場合には、入力される画像データは連続的にだんだんと変化するため、連続する画像データの間で所定割合以上の変化が生じることはないと考えられるが、シーンが変更された場合などには、画像が切り替わったと誤認識される虞がある。このため、投影装置２の画像切替判定処理のＯＮ／ＯＦＦが切替自在に構成されることにより、より魅力的な投影システム１００を提供することができる。
【００６９】
［実施形態２］
以下に、実施形態２の投影システムについて図９を参照して説明する。
ここで、図９は、本発明を適用した実施形態２の投影システムによる画像切替判定処理に係る動作の一例を説明するためのタイミングチャートである。
なお、実施形態２の投影システムは、投影装置２の構成以外の点では上記実施形態１と略同様であるので、同様の構成には同一の符号を付してその説明を省略する。
【００７０】
実施形態２の投影システムは、投影装置２の画像記憶部４０に画像データを所定時間（例えば、１秒間）記憶して、当該画像データに応じた画像をタイムシフトして投影するものであり、画像切替判定処理にて、所定時間内における複数の画像データの変化の内容に従って画像が切り替えられたか否かを判定するものである。
【００７１】
即ち、投影装置２の制御部３９は、ＣＰＵによる画像切替判定プログラムの実行に基づいて、画像記憶部４０に記憶された所定時間内（例えば、１秒間）における複数の画像データの変化を判断して、当該画像データの変化が段階的であり、且つ、当該段階的な変化の回数が所定回数（例えば、２回）以下であるか否かに応じて、画像が切り替えられたか否かを判定する画像切替判定処理を行うようになっている。
具体的には、画像切替判定プログラムは、ＣＰＵによって、先ず、所定時間内における複数の画像データの変化が段階的であるのか連続的であるのか否かを判定して、当該画像データの変化が段階的である場合に、段階的な変化の回数が所定回数（例えば、２回）以下であるのか否かを判定することで、画像が切り替えられたか否かを所定周期で判定するためのものである。つまり、画像データの変化が連続的である場合、または、所定回数を超える回数の段階的な変化が生じた場合には、画像記憶部４０に記憶されている画像データは動画像を構成するものである可能性が高いため、この場合には、画像切替処理を行わないように構成されている。
【００７２】
また、制御部３９は、ＣＰＵによる画像情報取得プログラムの実行に基づいて、画像記憶部４０に所定時間内に記憶された複数の連続する画像データのうち、最初の段階的な変化前の画像データ及び最後の段階的な変化後の画像データを取得する画像取得処理を行うようになっている。即ち、静止画像を投影している場合にも、ユーザによる外部機器１の操作入力部１０４を介した画像データの選択指示が所定時間内に１回行われるだけでなく連続して行われるときがあるが、かかる場合に、段階的な変化の回数が所定回数以下であれば、ＣＰＵは、段階的な変化の回数に応じて、最初の段階的な変化前の画像データ及び最後の段階的な変化後の画像データをそれぞれ取得するようになっている。
【００７３】
また、制御部３９は、ＣＰＵによる画像切替プログラムの実行に基づいて、画像情報取得処理にて取得された最初の段階的な変化前の画像データに応じた画像ＧＢから最後の段階的な変化後の画像データに応じた画像ＧＡへと切り替える画像切替処理を行うようになっている。
【００７４】
次に、図９を参照して実施形態２の投影システムによる画像投影処理について説明する。
実施形態２の投影システムの投影装置２は、外部機器（ＰＣ）１から出力される画像データが投影装置２に入力されると、ＣＰＵの制御下にて、画像記憶部４０に所定時間（例えば、１秒間）毎に連続する複数の画像データが記憶（サンプリング）される（サンプリング１参照）。
【００７５】
そして、画像データがサンプリングされると、ＣＰＵの制御下にて、画像記憶部４０に記憶されている所定時間内の画像データの中で古い画像データに応じた画像から投影が開始される。また、サンプリングされる毎に、ＣＰＵは、画像切替判定プログラムを実行して、画像記憶部４０に記憶された所定時間内における複数の画像データの変化を判断して、画像が切り替えられたか否かを判定する画像切替判定処理を行う。
ここで、図９に示すように、例えば、ユーザによる外部機器１の操作入力部１０４の所定操作に基づいて画像データの選択指示が所定時間（サンプリング１の時間）内に所定回数（例えば、２回）行われる場合、投影装置２には、所定時間内に３つの異なる画像データ（例えば、画像データＡ、Ｂ、Ｃ）が入力される。このとき、ＣＰＵは、画像切替判定プログラムの実行に基づいて、所定時間内の画像データの中で連続する２つの画像データを順次比較していくことで、画像データが段階的に変化している時点（例えば、画像データＡｎ（ｎ：自然数）と画像データＢ１との間、及び画像データＢ２と画像データＣ１との間）を判定認識する。この場合、ＣＰＵは、画像データの段階的な変化の回数が所定回数（例えば、２回）以下であるので、画像が切り替えられたと判定することとなる。
【００７６】
次に、ＣＰＵは、画像情報取得プログラムを実行して、画像記憶部４０から、最初の段階的な変化前の画像データ（例えば、画像データＡｎ）及び最後の段階的な変化後の画像データ（例えば、画像データＣ１）を取得して、一連の複数の画像データとは別に保存する。
【００７７】
続けて、ＣＰＵは、画像切替プログラムを実行して、最初の段階的な変化前の画像データに応じた画像ＧＢから最後の段階的な変化後の画像データに応じた画像ＧＡへと所定の切替エフェクトを施して切り替える処理を行う。
【００７８】
次に、ＣＰＵは、画像記憶部４０から画像切替時間の分だけ画像データをとばして所定の画像データを読み出し、切替後の画像の投影後（画像の切替後）に、当該画像データに基づいて所定の画像の投影を再開させることとなる。
ここで、図９に示すように、例えば、サンプリング１の後、所定時間（サンプリング２の時間）内に画像データの選択指示が所定回数（例えば、１回）行われており、この場合、投影装置２には、所定時間内に２つの異なる画像データ（例えば、画像データＣ、Ｄ）が入力されている。かかる場合、ＣＰＵは、画像切替判定プログラムの実行に基づいて、画像データが段階的に変化している時点（例えば、画像データＣｍ（ｍ：自然数）と画像データＤ１との間）を判定認識し、続けて、画像情報取得プログラムを実行して、画像記憶部４０から、段階的な変化前の画像データ（例えば、画像データＣｍ）及び段階的な変化後の画像データ（例えば、画像データＤ１）を取得して、一連の複数の画像データとは別に保存する。そして、ＣＰＵは、画像切替プログラムを実行して、段階的な変化前の画像データに応じた画像ＧＢから段階的な変化後の画像データに応じた画像ＧＡへと所定の切替エフェクトを施して切り替える処理を行うようになっている。
【００７９】
以上のように、実施形態２の投影システムによれば、外部機器１から出力されて投影装置２に入力されて画像記憶部４０に一時的に記憶された所定時間内における複数の画像データの変化を判断して、当該画像データの変化が段階的であり、且つ、当該段階的な変化の回数が所定回数以下であるか否かに応じて、画像が切り替えられたか否かを所定周期毎に判定することができる。
従って、静止画像データと動画像データが混在して外部機器１から出力されて投影装置２に入力される場合であっても、静止画像と動画像の誤認識を防止することができることとなり、手動で投影装置２を画像切替判定処理のＯＮ／ＯＦＦ切替をしなくとも、静止画と動画が混合したスライドデータを投影することが出来、より利便性の高い投影システムを提供することができる。
但し、やはりこの構成であっても、画像切換判定処理のＯＮ／ＯＦＦ切換自在に構成してもよく、これにより、本機能を不使用とすることを選択することが出来るという利便性が追加される。
【００８０】
また、所定時間内に画像の切り替え、即ち、段階的な変化が複数回行われた場合であっても、画像記憶部４０に一時的に記憶された複数の画像データのうち、最初の段階的な変化前の画像データ及び最後の段階的な変化後の画像データを取得することで、所定の切替エフェクトを施して最初の段階的な変化前の画像データに応じた画像から最後の段階的な変化後の画像データに応じた画像へと切り替えて投影することができることとなって、短時間に画像が切替わっている時に、より視聴者が見やすい画像として投影できる投影システムを提供することができる。
【００８１】
なお、本発明は、上記実施形態に限定されることなく、本発明の趣旨を逸脱しない範囲において、種々の改良並びに設計の変更を行っても良い。
例えば、画像切替判定処理にて、ＣＰＵは、複数の画像データのうち、２つの連続する画像データの変化量が所定割合以上であるか否かに応じて、画像が切り替えられたか否かを判定するようにしたが、これに限られるものではない。即ち、例えば、ＣＰＵは、２つの連続する画像データをそれぞれマトリックス状に複数の領域（例えば、８×８、１６×１６、３２×３２）に区切って、これら複数の領域毎に比較して、変化した領域の数が所定割合以上であるか否かに応じて、画像が切り替えられたか否かを判定するようにしても良い。
これにより、画像切替判定処理においての制御部による演算量をより減少させることができることとなって、画像切替判定処理の高速化を図ることができる。
また、画像切替判定処理は、例えば、各領域の所定画素どうしを比較することで行うようにしても良い。
【００８２】
さらに、上記実施形態にあっては、画像切替判定処理にて、ＣＰＵは、複数の画像データのうち、２つの連続する画像データのデータサイズに応じて画像が切り替えられたか否かを判定するようにしても良い。
【００８３】
また、上記実施形態では、投影装置２は、外部機器１から送られてくる画像データに基づいて所定の画像を投影するようにしたが、これに限られるものではなく、例えば、投影装置２自体に外部メモリを搭載して、当該外部メモリから読み出された画像データに基づいて画像の投影を行うようにしても良い。
【００８４】
さらに、上記実施形態における切替エフェクトは、図５〜図７に示すものに限られるものではない。また、切替エフェクトは、例えば、切替前後の画像データに対して、何れか一が単独で施されても良いし、複数が組み合わされて施されても良い。さらに、画像の切替の際に、画面にフラッシュがたかれたり、切替速度を変更するような特殊効果が施されるようにしても良い。
【００８５】
また、上記実施形態の空間的光変調素子３６は、例えば、ＤＭＤ、ＬＣＤ、ＬＣＯＳ、Ｇ×Ｌ等の何れのものであっても良い。
【００８６】
さらに、上記実施形態にあっては、投影装置２として、フロントプロジェクション方式のものを例示して説明したが、これに限られるものではなく、例えば、リアプロジェクション方式のものであっても良い。
【００８７】
加えて、上記実施の形態では、画像切替判定手段、画像情報取得手段及び画像切替手段としての機能を、制御部３９のＣＰＵによって、所定のプログラム等が実行されることにより実現される構成としたが、これに限られるものではなく、例えば、各種機能を実現するためのロジック回路等から構成しても良い。
【符号の説明】
【００８８】
１００  投影システム
１  外部機器
２  投影装置
１２  投影レンズ（投影手段）
３５  表示駆動部（投影手段）
３６  空間的光変調素子（投影手段）
３７  光源ランプ（投影手段）
３９  制御部（画像切替判定手段、画像情報取得手段、画像切替手段）
４０  画像記憶部（画像保存手段）
【図１】
0005413624.tif 000002
【図２】
0005413624.tif 000003
【図３】
0005413624.tif 000004
【図４】
0005413624.tif 000005
【図５】
0005413624.tif 000006
【図６】
0005413624.tif 000007
【図７】
0005413624.tif 000008
【図８】
0005413624.tif 000009
【図９】
0005413624.tif 000010